(57)【要約】【課題】  上面がテーブルとなっている本体ケース内に多数の食器を収納できるようにすることである。【解決手段】  下方に回転支点２４が形成されて食器６が積層状態で収納される上面開口の収納容器５と、直線状のスリット１０に摺動自在に挿入された板状の支持部材１２と、支持部材１２の下端に設けられたバネ掛けアングル１８に下端が着脱自在に引っ掛けられ収納容器５に設けられたバネ掛け板２１に上端が着脱自在に引っ掛けられて支持部材１２を上方に付勢する引張バネ２０と、収納容器５内に位置して支持部材１２とこの支持部材１２の上縁に取り付けられた台座１３とで形成された食器保持体１１と、収納容器５の回転支点２４に係合して収納容器５を前方に傾斜するように保持する回転支点が設けられた収納容器５を収納する本体ケースとよりなる。【選択図】    図５
2006246921.tif 000002
【特許請求の範囲】
【請求項１】
両側の側壁の上方に開口した切欠きが形成され下方に回転支点が形成されて食器が積層状態で収納される上面開口の収納容器と、直線状のスリットが垂直方向に形成され前記収納容器の側壁の一片を構成する支持側壁と、前記スリットに摺動自在に挿入されるとともに前記支持側壁の外面に接して転動する外部ベアリングが上方位置に設けられ前記支持側壁の内面に接して転動する内部ベアリングが下方位置に設けられた板状の支持部材と、前記支持側壁の外側に位置して前記支持部材の下端に設けられたバネ掛けアングルに下端が着脱自在に引っ掛けられ前記収納容器に設けられたバネ掛け板に上端が着脱自在に引っ掛けられて前記支持部材を上方に付勢する引張バネと、前記収納容器内に位置して前記支持部材とこの支持部材の上縁に取り付けられた台座とで形成された食器保持体と、前記収納容器の前記回転支点に係合して前記収納容器を前方に傾斜するように保持する回転支点が設けられて前記収納容器を収納する本体ケースとよりなることを特徴とする食器ディスペンサー。
【請求項２】
前記収納容器の前記回動支点と前記本体ケースの前記回動支点とは、互いに係脱する切欠と突起とにより形成したことを特徴とする請求項１記載の食器ディスペンサー。
【請求項３】
前記本体ケースに複数個の前記収納容器を並列に配設したことを特徴とする請求項１又は２記載の食器ディスペンサー。
【請求項４】
前記本体ケースの上面は、平坦なテーブルであることを特徴とする請求項１、２又は３記載の食器ディスペンサー。
【請求項５】
支持側壁に二条のスリットが形成され、それぞれのスリットに支持部材が挿入され、各支持部材に一つずつの外部ベアリングと内部ベアリングとが取り付けられていることを特徴とする請求項１、２、３又は４記載の食器ディスペンサー。
【請求項６】
複数本の引張バネを着脱自在に平行に配設したことを特徴とする請求項１、２、３、４又は５記載の食器ディスペンサー。
【請求項７】
前記収納容器の内面と前記本体ケースとの間に前記収納容器の前方への倒れ角度を所定角度に規制する規制体を設けたことを特徴とする請求項１、２、３、４、５又は６記載の食器ディスペンサー。
【発明の詳細な説明】
【技術分野】
【０００１】
本発明は、多数の食器を積み重ねた状態で収納し、収納した食器の数が変化しても常に最上部の食器が取出位置に位置するようにした食器ディスペンサーに関するものである。
【背景技術】
【０００２】
従来、この種の食器ディスペンサーにおいて、多数の食器を積み重ねた状態で収納し、取出位置にある食器を取り去っても常に最上部の食器が取出位置に位置するようにした食器ディスペンサーは、特許第３２７８１４１号明細書（特許文献１）に記載されている。すなわち、食器が積層状態で収納される上面開口の収納容器と、直線状のスリットが垂直方向に形成された支持側壁と、前記スリットに摺動自在に挿入されるとともに前記支持側壁の外面に接して転動する外部ベアリングが上方位置に設けられ前記支持側壁の内面に接して転動する内部ベアリングが下方位置に設けられた支持部材と、前記支持側壁の外側に位置して前記支持部材を上方に付勢する引張バネと、前記収納容器内に位置して前記支持部材に設けられた食器保持体とよりなる食器ディスペンサーが開示されている。この構造による食器ディスペンサーは、引張バネによるバネリフト構造を収納容器の片側に設けるだけで良く、これにより、全体の外形を小さくすることができ、引張バネによるバネ付勢力の調整も片側だけで良いため、その作業性が高く、異なる食器を使用するために引張バネの付け替えを行う場合にもその作業が容易であるという効果を奏しているものである。
【０００３】
【特許文献１】特許第３２７８１４１号明細書
【発明の開示】
【発明が解決しようとする課題】
【０００４】
このような機能を有する食器ディスペンサーは、多数の食器を積み重ねた状態で収納し、取出位置にある食器を取り去っても常に最上部の食器が取出位置に位置するように上昇するという点で優れているものである。しかしながら、この食器ディスペンサーは、収納容器の上面が開口して食器を順次取り出すことができる定置型の装置として利用されているものであり、一定の専用スペースを必要とする。
【課題を解決するための手段】
【０００５】
請求項１記載の発明は、両側の側壁の上方に開口した切欠きが形成され下方に回転支点が形成されて食器が積層状態で収納される上面開口の収納容器と、直線状のスリットが垂直方向に形成され前記収納容器の側壁の一片を構成する支持側壁と、前記スリットに摺動自在に挿入されるとともに前記支持側壁の外面に接して転動する外部ベアリングが上方位置に設けられ前記支持側壁の内面に接して転動する内部ベアリングが下方位置に設けられた板状の支持部材と、前記支持側壁の外側に位置して前記支持部材の下端に設けられたバネ掛けアングルに下端が着脱自在に引っ掛けられ前記収納容器に設けられたバネ掛け板に上端が着脱自在に引っ掛けられて前記支持部材を上方に付勢する引張バネと、前記収納容器内に位置して前記支持部材とこの支持部材の上縁に取り付けられた台座とで形成された食器保持体と、前記収納容器の前記回転支点に係合して前記収納容器を前方に傾斜するように保持する回転支点が設けられて前記収納容器を収納する本体ケースとよりなる。
【０００６】
請求項２記載の発明は、請求項１記載の食器ディスペンサーにおいて、前記収納容器の前記回動支点と前記本体ケースの前記回動支点とは、互いに係脱する切欠と突起とにより形成したことを特徴とする。
【０００７】
請求項３記載の発明は、請求項１又は２記載の食器ディスペンサーにおいて、前記本体ケースに複数個の前記収納容器を並列に配設した。
【０００８】
請求項４記載の発明は、請求項１、２又は３記載の食器ディスペンサーにおいて、前記本体ケースの上面は、平坦なテーブルであることを特徴とする。
【０００９】
請求項５記載の発明は、請求項１、２、３又は４記載の食器ディスペンサーにおいて、支持側壁に二条のスリットが形成され、それぞれのスリットに支持部材が挿入され、各支持部材に一つずつの外部ベアリングと内部ベアリングとが取り付けられている。
【００１０】
請求項６記載の発明は、請求項１、２、３、４又は５記載の食器ディスペンサーにおいて、複数本の引張バネを着脱自在に平行に配設した。
【００１１】
請求項７記載の発明は、請求項１、２、３、４、５又は６記載の食器ディスペンサーにおいて、前記収納容器の内面と前記本体ケースとの間に前記収納容器の前方への倒れ角度を所定角度に規制する規制体を設けた。
【発明の効果】
【００１２】
請求項１記載の発明は、本体ケースに収納される収納容器は、回転支点を中心として前方に傾斜するように保持されているため、食器を出し入れする時だけ収納容器を手前側に倒し、不使用時には収納容器の全体を本体ケースに収納しておくことができるため、本体ケースが調理のための作業台などである場合に、その空いた空間内に収納容器を収納しておくことができ、これにより、食器ディスペンサー専用のスペースがなくてもよく、また、本体ケースを食器収納のための専用とした場合には、本体ケースの上面を作業面や他の器具の設置面として利用することができ、厨房のスペースを有効に利用することができる。
【００１３】
請求項２記載の発明は、収納容器の回動支点と本体ケースの回動支点とは、互いに係脱する切欠と突起とにより形成したので、本体ケースに収納容器を組立てる作業がきわめて容易なものである。
【００１４】
請求項３記載の発明は、本体ケースに複数個の収納容器を並列に配設したことにより、本体ケースの空きスペースを有効に利用して多数の食器を収納することができるものである。
【００１５】
請求項４記載の発明は、食器を収納する収納容器を本体ケースに配設しても、その本体ケースの上面を平坦なテーブルとすることができるため、本体ケースを調理のための作業面とすることができる。
【００１６】
請求項５記載の発明は、支持側壁に二条のスリットが形成され、それぞれのスリットに支持部材が挿入され、各支持部材に一つずつの外部ベアリングと内部ベアリングとが取り付けられているようにしたので、横振れのない状態で食器保持体を保持することができ、安定した昇降を行わせることができる。
【００１７】
請求項６記載の発明は、複数本の引張バネを着脱自在に平行に配設したので、食器の重量に応じた付勢力を簡単に得ることができるものである。
【００１８】
請求項７記載の発明は、収納容器の内面と本体ケースとの間に収納容器の前方への倒れ角度を所定角度に規制する規制体を設けたので、収納容器の前倒れ角度を一定にして作業性のよい状態に設定することができるものである。
【発明を実施するための最良の形態】
【００１９】
本発明の実施の形態を図面に基づいて説明する。まず、直方体形状の本体ケース１が設けられている。この本体ケース１の上面は平坦なテーブル２とされ、下面には、ストッパー付きのキャスター３が取り付けられている。この本体ケース１の両側には、側板４が設けられ、前後面は開放されている。この開放部分には、片側三個ずつの収納容器５がそれらの上方が手前側に倒れるように取り付けられている。
【００２０】
ついで、前記収納容器５について説明する。まず、この収納容器５は、収納すべき食器６の大きさに合わせた大きさで上方に開口した縦長の直方形状である。この収納容器５の両側の側壁７には、手が入る大きさの上方に開口した切欠き８が形成され、また、これらの側壁７に直交する一辺の側壁７は支持側壁９とされ、この支持側壁９には、垂直方向に連通する二条のスリット１０が形成されている。また、前記収納容器５には、積み重ねられた前記食器６を保持する食器保持体１１が昇降自在に取り付けられている。この食器保持体１１は、その一側縁近傍が二条の前記スリット１０に摺動自在に挿入された相対向する二枚の支持部材１２と、これらの支持部材１２の上縁に取り付けられた台座１３とよりなる。そして、前記支持部材１２のそれぞれには、前記支持側壁９の外面に接して転動する上方に位置する外部ベアリング１４が支軸１５に保持されて取り付けられており、前記支持側壁９の内面に接して転動する下方に位置する内部ベアリング１６が支軸１７に保持されて取り付けられている。すなわち、前記食器保持体１１には、二個ずつの外部ベアリング１４及び内部ベアリング１６が設けられている。また、前記支持部材１２の前記支持側壁９から外部に突出した部分の下端に、バネ掛けアングル１８が取り付けられている。
【００２１】
このように形成された食器保持体１１は、前記支持側壁９の外面に設けられたバネリフト構造１９で保持されている。すなわち、このバネリフト構造１９は、複数本の引張バネ２０によるものであり、本実施の形態においては、使用する食器６の重量に対応するように選別した三種類の引張バネ２０が用いられている。これらの引張バネ２０は、その下端が前記バネ掛けアングル１８に引っ掛けられており、上端が前記支持側壁９の上端に屈曲形成されたバネ掛け板２１に引っ掛けられている。
【００２２】
つぎに、図６に示すように、スリット１０内を摺動する食器保持体１１の横振れを防ぐために、両側の支持部材１２の外面にスリット１０の縁部に接触する合成樹脂製の滑り部材２２をそれぞれ取り付けられている。これにより、食器保持体１１の横振れはなくなる。
【００２３】
さらに、前記収納容器５の前面の側壁７の上方には、把手２３が設けられ、両側の側壁７の下縁には、やや手前側に位置させてＶ字形状の切欠き（回転支点）２４が形成されている。この切欠き２４は、前記本体ケース１に形成された係合切欠（回転支点）２４ａ、２４ｂに係合する。ここで、係合切欠２４ａは両側に二個形成され、係合切欠２４ｂは中間に二個形成されており、前記係合切欠２４ａは前記収納容器５の一枚の板厚分の狭い幅であり、前記係合切欠２４ｂは隣り合う前記収納容器５の板厚が二個分の広い幅に形成されている。このように切欠き２４と係合切欠２４ａ、２４ｂとが噛み合うことにより、前記収納容器５を前方に傾斜するように保持している。また、前記本体ケース１内には、前記収納容器５の底面が当接して受ける受けストッパ２４ｃがそれぞれの収納容器５毎に設けられている。つぎに、前記収納容器５の前記バネ掛け板２１の中心部には、チェンフック２５が設けられており、このチェンフック２５には前記本体ケース１の中心部に位置する固定部２６に一端が固定された所定長さのチェン（規制体）２７が結合されている。このチェン２７の長さは、前記収納容器５が手前側に倒れた時の位置を規制するものであり、前記本体ケース１との間で前記収納容器５に保持された食器６を出し入れするに十分な間隔を確保し、かつ、必要以上に手前側に倒れないようにしている。
【００２４】
つぎに、前記本体ケース１の中央部には、シーズヒータによるヒータ板２８が垂直に設けられており、このヒータ板２８には前記側板４に取り付けられた電源スイッチ２９が接続されている。なお、このヒータ板２８は、保温式の場合に設けられるものであり、保温が必要でない場合には、省略されるものである。
【００２５】
このような構成において、把手２３を持って収納容器５を手前側に倒し、予め必要枚数の食器６を収納する。このとき、収納容器５は、切欠き２４を支点として前方へ回動するが、重心が手前側にかかるので、チェン２７が伸び切った位置に静止する。この状態で食器６を収納するが、その収納に当たっては、台座１３の位置が上方に上がっているため、食器６をその上に載せる感覚で収納作業を行うことができる。この時、収納容器５の側壁７には切欠き８が形成されているため、その切欠き８から手を内部に入れることができ、これにより、食器６の側方を持つことが容易で操作性が良い。また、何枚の食器６が収納されていても、食器６の全重量と引張バネ２０の張力とのバランスがとれて最上部の食器６の位置は一定位置にあるため、次々に積層する作業が容易である。この食器６の収納が終了すると、収納容器５を本体ケース１内に押し込み、その収納容器５は直立することになる。
【００２６】
しかして、食器６を使用する場合には、前述のように、収納容器５を手前側に引き出して傾斜させることにより、表面に露出した最上部の食器６は取出位置に位置している。そして、使用者が必要枚数の食器６を取り出すことにより、積み重なった食器６の全重量は減少して上昇する。この重量変化と引張バネ２０の伸び率の減少とのバランスがとれているため、何枚の食器６を取り出しても、常に最上部の食器６は同一の取出位置に位置している。なお、食器６の種類を変えた場合等は、その食器６の重量に応じてバネ定数の異なる引張バネ２０を選択して掛け換える。バネ掛けアングル１８とバネ掛け板２１とには、予め多数の引掛け部が設けられているため、必要に応じて多数本の引張バネ２０を掛け渡すことができる。
【００２７】
このような機能を達成するために、食器保持体１１が昇降するものであるが、その食器保持体１１は支持側壁９に片持状態で保持されているものである。そして、食器保持体１１の台座１３の中心に食器６の重量が作用し、支持側壁９と逆側に傾くように力が作用している。しかしながら、外部ベアリング１４が支持側壁９の外面に圧接され、内部ベアリング１６が支持側壁９の内面に圧接されるため、食器保持体１１は傾くことなく水平に維持されてスリット１０に沿って昇降する。しかも、外部ベアリング１４と内部ベアリング１６とは、ボールベアリングを使用することが可能であるため、食器６の重量程度では滑らかな動きを示し、しかも、動作速度も低いことから、安価なボールベアリングできわめて円滑な動きを示す。従って、バネリフト構造１９を収納容器５の片側だけに設ければ良いため、装置の外形が小さくて良い。
【００２８】
さらに、ヒータ板２８に通電しておくことにより、本体ケース１内の温度を所望の温度に維持することができ、これにより、食器６を予め予熱しておくことができる。この食器６の余熱は、その食器６をどのような調理に使用するかにより選択されるものであり、場合によっては予熱する必要はないものである。
【図面の簡単な説明】
【００２９】
【図１】本発明の実施の形態を示すもので、一部の収納容器を手前側に引き出した状態の斜視図である。
【図２】本体ケースの一部を切り欠いて示す斜視図である。
【図３】全体の正面図である。
【図４】一部の収納容器を手前側に引き出した状態の側面図である。
【図５】一部を切り欠いた収納容器の斜視図である。
【図６】収納容器の一部の水平断面図である。
【符号の説明】
【００３０】
０１    本体ケース
０２    テーブル
０５    収納容器
０６    食器
０７    側壁
０８    切欠き
０９    支持側壁
１０    スリット
１１    食器保持体
１２    支持部材
１３    台座
１４    外部ベアリング
１６    内部ベアリング
１８    バネ掛けアングル
２０    引張バネ
２４    切欠き（回転支点）
２７    チェン（規制体）
【図１】
2006246921.tif 000003
【図２】
2006246921.tif 000004
【図３】
2006246921.tif 000005
【図４】
2006246921.tif 000006
【図５】
2006246921.tif 000007
【図６】
2006246921.tif 000008